(57)【要約】【課題】複数の形態の電力供給状態を、遠隔からの問い合わせに回答する。【解決手段】応答信号Ａを受け付けると、パターンマッチング処理が実行され、「スリープＣＰＵオン」モード、「スリープＣＰＵオフ」モード、「スリープ０」モードの典型的な電力値特定パターンと、バッファー１１４に記憶されている電力値特定パターンとを照合し、一致したパターンを特定する。特定された電力値特定パターンには、予め識別情報が付与されており、「スリープＣＰＵオン」モードが識別情報Ｂ、「スリープＣＰＵオン」モードが識別情報Ｃ、「スリープ０」モードが識別情報Ｄである。特定された電力値特定パターンに基づいて、識別情報Ｂ，Ｃ，Ｄを選択し、要求元へ識別情報Ｂ、Ｃ、Ｄの何れかを返信する。要求側である携帯端末１１６と、応答側である画像処理装置１０のＡＳＩＣ１００との間で通信が実行される。【選択図】図５
2015001959.tif 000002
【特許請求の範囲】
【請求項１】
節電状態の処理部を制御する主制御装置が、全ての制御が実行可能な第１の状態、一部の制御が停止している第２の状態、及び、電力供給が遮断された第３の状態の何れの状態であるかが識別可能な特性パターンを、前記状態が変化する毎に記憶する記憶部と、
予め定めた通信手順に基づいて前記状態に関する情報の要求があった場合に、前記記憶部に記憶された特性パターンを、パターンマッチング処理によって特定して応答する通信部と、
を含む副制御装置。
【請求項２】
前記特性パターンが、前記状態の移行前に移行後の状態を予測して生成される請求項１記載の副制御装置。
【請求項３】
前記記憶部が、前記特性パターンをパケット化して記憶するバッファーを備える請求項１又は請求項２記載の副制御装置。
【請求項４】
少なくとも前記主制御装置が第３の節電状態のとき、副電源部から電力を受けて、前記通信部における前記状態に関する情報の要求動作に対応する請求項１〜請求項３の何れか１項記載の副制御装置。
【請求項５】
前記通信部が、
節電状態を要求する要求側デバイスとの間で、トランスポート層にＵＤＰを用いた通信プロトコルが確立されており、
応答側デバイスから受けた要求信号に対して、３種類の電力値特定パターンと、前記記憶部に記憶されている電力値特定パターンとをパターンマッチング処理によって照合し、
照合の結果、一致した電力値特定パターンに対応する識別符号を返送する請求項１〜請求項４の何れか１項記載の副制御装置。
【請求項６】
処理部及び前記処理部を制御する主制御装置に対する主電源部からの電力供給状態が通常状態のとき、消費電力が異なる複数種類の処理形態の何れであるかを識別すると共に、前記処理部が節電状態のとき、当該処理部を制御する主制御装置が、相対的に消費電力が高く少なくとも全ての制御が実行可能な第１の状態、又は相対的に消費電力が低く一部の機能が停止している第２の状態の何れの状態であるかを識別する識別部と、
前記処理部及び主制御装置を含む消費電力に関する情報の要求があった場合に、前記識別部を制御して前記処理形態を識別、或いは前記状態を識別し、当該識別結果に基づいて消費電力に関する情報を応答する通信部と、
を含む副制御装置。
【請求項７】
前記請求項１〜請求項６の何れか１項記載の副制御装置を備え、
前記処理部が、
原稿画像を読み取るための画像読取部と、受け付けた情報に基づいて記録用紙へ画像を形成する画像形成部と、通信回線網を介して、画像情報の送受信を実行する通信回路部と、を含み、スキャン、複写、プリント、ファクシミリ送信、及びファクシミリ受信を含む処理形態から選択された処理形態の種類に基づいて、前記画像読取部、画像形成部、及びファクシミリ通信回路部の少なくとも１つを用いた処理を実行する画像処理装置。
【発明の詳細な説明】
【技術分野】
【０００１】
本発明は、副制御装置、画像処理装置に関する。
【背景技術】
【０００２】
画像処理装置において、処理の実行がない場合の消費電力を、処理中の消費電力よりも軽減する省エネモード（「節電モード」、「スリープモード」等という場合がある）が設定されている。
【０００３】
特許文献１には、画像入力部および画像出力部に対する電源制御として通常モードと節電モードとの切り替えを制御する制御部とを備える画像処理装置について記載されている。
【０００４】
この特許文献１では、制御部が、一のジョブの終了から次のジョブの開始までのアイドル期間の統計を取得し、その統計に基づいて通常モードと節電モードとの切り替えを制御しており、ＵＩパネルに、全体電力に対する節電モード中の消費電力の割合などを表示したり、表示するほか、画像出力部からレポートとして印刷出力したり、ネットワークを介して外部のコンピュータ等から参照することが記載されている。
【０００５】
また、参考として、特許文献２には、複合機において、可能な限り省エネ機能を保持しつつ、ユーザーが省エネモード中に実際に低消費電力化が行われていることを表示により認識できる操作表示装置が開示されている。より具体的には、サブ基板１０４のサブＬＣＤ１０９が、装置全体を制御するメイン基板１０１のＣＰＵ１０３により取得された消費電力情報と電力モード情報とが通知されて消費電力、電力モードを表示する。
【先行技術文献】
【特許文献】
【０００６】
【特許文献１】特開２００６−２７２５９６号公報
【特許文献２】特開２０１１−０７５９８８号公報
【発明の概要】
【発明が解決しようとする課題】
【０００７】
本発明は、複数の形態の電力供給状態を、遠隔からの問い合わせに回答することができる副制御装置、画像処理装置を得ることが目的である。
【課題を解決するための手段】
【０００８】
請求項１に記載の発明は、節電状態の処理部を制御する主制御装置が、全ての制御が実行可能な第１の状態、一部の制御が停止している第２の状態、及び、電力供給が遮断された第３の状態の何れの状態であるかが識別可能な特性パターンを、前記状態が変化する毎に記憶する記憶部と、予め定めた通信手順に基づいて前記状態に関する情報の要求があった場合に、前記記憶部に記憶された特性パターンを、パターンマッチング処理によって特定して応答する通信部と、を含む。
【０００９】
請求項２に記載の発明は、前記請求項１に記載の発明において、前記特性パターンが、前記状態の移行前に移行後の状態を予測して生成される。
【００１０】
請求項３に記載の発明は、前記請求項１又は請求項２に記載の発明において、前記記憶部が、前記特性パターンをパケット化して記憶するバッファーを備える。
【００１１】
請求項４に記載の発明は、前記請求項１〜請求項３の何れか１項記載の発明において、少なくとも前記主制御装置が第３の節電状態のとき、副電源部から電力を受けて、前記通信部における前記状態に関する情報の要求動作に対応する。
【００１２】
請求項５に記載の発明は、前記請求項１〜請求項４の何れか１項記載の発明において、前記通信部が、節電状態を要求する要求側デバイスとの間で、トランスポート層にＵＤＰを用いた通信プロトコルが確立されており、応答側デバイスから受けた要求信号に対して、３種類の電力値特定パターンと、前記記憶部に記憶されている電力値特定パターンとをパターンマッチング処理によって照合し、照合の結果、一致した電力値特定パターンに対応する識別符号を返送する。
【００１３】
請求項６に記載の発明は、処理部及び前記処理部を制御する主制御装置に対する主電源部からの電力供給状態が通常状態のとき、消費電力が異なる複数種類の処理形態の何れであるかを識別すると共に、前記処理部が節電状態のとき、当該処理部を制御する主制御装置が、相対的に消費電力が高く少なくとも全ての制御が実行可能な第１の状態、又は相対的に消費電力が低く一部の機能が停止している第２の状態の何れの状態であるかを識別する識別部と、前記処理部及び主制御装置を含む消費電力に関する情報の要求があった場合に、前記識別部を制御して前記処理形態を識別、或いは前記状態を識別し、当該識別結果に基づいて消費電力に関する情報を応答する通信部と、を含む。
【００１４】
請求項７に記載の発明は、前記請求項１〜請求項６の何れか１項記載の副制御装置を備え、前記処理部が、原稿画像を読み取るための画像読取部と、受け付けた情報に基づいて記録用紙へ画像を形成する画像形成部と、通信回線網を介して、画像情報の送受信を実行する通信回路部と、を含み、スキャン、複写、プリント、ファクシミリ送信、及びファクシミリ受信を含む処理形態から選択された処理形態の種類に基づいて、前記画像読取部、画像形成部、及びファクシミリ通信回路部の少なくとも１つを用いた処理を実行する画像処理装置である。
【発明の効果】
【００１５】
請求項１記載の発明によれば、省エネモード中における、複数の形態の電力供給状態を、遠隔からの問い合わせに回答することができる。
【００１６】
請求項２に記載の発明によれば、主電源部からの電力がある内に、記憶動作を終了させることができる。
【００１７】
請求項３に記載の発明によれば、本構成を有しない場合に比べて、記憶動作のための消費電力を抑制することができる。
【００１８】
請求項４に記載の発明によれば、第３の状態では、主電源部の電力を不要とすることができる。
【００１９】
請求項５に記載の発明によれば、ＵＤＰを用いた通信プロトコルを確立しない場合に比べ、副電源部での電力消費を軽減することができる。
【００２０】
請求項６に記載の発明によれば、複数の形態の電力供給状態を、遠隔からの問い合わせに回答することができる
請求項７に記載の発明によれば、複数の形態の電力供給状態を、遠隔からの問い合わせに回答することができる。
【図面の簡単な説明】
【００２１】
【図１】本実施の形態に係る画像処理装置の概略図である。
【図２】本実施の形態に係る画像処理装置におけるＵＩ周辺の拡大図である。
【図３】本実施の形態に係る画像処理装置の制御系のブロック図である。
【図４】本実施の形態に係るＡＳＩＣのＩＣチップに特定用途向けに構築した機能をブロック化した構成図である。
【図５】（Ａ）は、携帯端末から、無線通信によって画像処理装置１０へ電力供給状態に関する情報の要求を行っている状態を示す斜視図、図５（Ｂ）は携帯端末の制御形態の構成を示すブロック図である。
【図６】本実施の形態に適用された通信プロトコル階層（ＵＤＰ仕様）を示す展開図である。
【図７】送信側ＵＤＰ及び受信側ＵＤＰの物理的な構成を模式的に示す展開図である。
【図８】本実施の形態に係るＵＤＰ通信プロトコルにおける動作を示しており、（Ａ）は失敗例、（Ｂ）は成功例である。
【図９】図８で説明したＵＤＰ通信プロトコルに基づく、画像処理装置のＡＳＩＣでの動作状態を示すタイミングチャートである。
【図１０】変形例１に係るに画像処理装置の状態遷移図である。
【図１１】変形例３に係る画像処理装置の制御ブロック図である。
【発明を実施するための形態】
【００２２】
図１には、本実施の形態に係る画像処理装置１０が示されている。
【００２３】
画像処理装置１０は、記録用紙に画像を形成する画像形成部１２と、原稿画像を読み取る画像読取部１４と、ファクシミリ通信制御回路１６を備えている。画像処理装置１０は、メインコントローラ１８を備えており、画像形成部１２、画像読取部１４、ファクシミリ通信制御回路１６を制御して、例えば、画像読取部１４で読み取った原稿画像の画像データを一次的に記憶したり、読み取った画像データを画像形成部１２又はファクシミリ通信制御回路１６へ送出したりする。なお、画像読取部１４は上部筐体１０Ａに覆われ、画像形成部１２，ファクシミリ通信制御回路１６、メインコントローラ１８は下部筐体１０Ｂに覆われている。下部筐体１０Ｂのさらに下部は記録用紙を収容する複数段のトレイユニット５０が設けられている。
【００２４】
また、前記画像読取部１４を被覆する上部筐体１０Ａの上面かつ前方には、画像読取処理、複写処理、画像形成処理、送受信処理を含む処理動作（サービス）項目を指示したり、それぞれの処理動作の詳細設定を指示すると共に、画像処理装置１０の状態を表示するためのユーザーインターフェイス５２（以下、「ＵＩ５２」という場合がある。）が配置されている。ＵＩ５２には、表示画面に操作者の指等を接触することで指示可能なタッチパネル部４０と、機械的動作（例えば、押圧動作）で指示可能な複数のハードキー５４とが設けられている。
【００２５】
メインコントローラ１８にはインターネット等のネットワーク通信回線網２０が接続され、ファクシミリ通信制御回路１６には電話回線網２２が接続されている。メインコントローラ１８は、例えば、ネットワーク通信回線網２０を介してホストコンピュータと接続され、画像データを受信したり、ファクシミリ通信制御回路１６を介して電話回線網２２を用いてファクシミリ受信及びファクシミリ送信を実行する役目を有している。
【００２６】
画像読取部１４は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２７】
画像形成部１２は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００２８】
本実施の形態では、上記画像形成部１２、画像読取部１４、ファクシミリ通信制御回路１６（以下、総称する場合「デバイス」という場合がある）を用いて、スキャン、複写、プリント、ファクシミリ送信、ファクシミリ受信、受信後のプリントを含むサービス（処理形態）が実行可能である。
【００２９】
画像処理装置１０には、入力電源線２４の先端にコンセント２６が取り付けられており、壁面Ｗまで配線された商用電源３１の配線プレート３２に、当該コンセント２６を差し込むことで、画像処理装置１０は、商用電源３１から、電力の供給を受けるようになっている。
【００３０】
図２に示される如く、上部筐体１０Ａに設置されたＵＩ５２は、当該上部筐体１０Ａとは別部材とされたプレート５６上に設けられている。プレート５６の中央部には、タッチパネル部４０が配置されている。また、タッチパネル部４０の図２の左右のプレート５６の表面には、複数のハードキー５４Ａ〜５４Ｅ（図１では、総称してハードキー５４とした）が露出されている。
【００３１】
ハードキー５４Ａ〜５４Ｅは、それぞれ押圧操作によって予め決められた指示情報を確定するものであり、例えば、タッチパネル部４０の表示画面を基本画面に遷移させるためのメニューキー５４Ａ、複写を指定するためのコピーキー５４Ｂ、複写の部数を指定したり、暗唱番号を入力するためのテンキー５４Ｃ、節電を指示したり解除するための節電キー５４Ｄ、処理の実行を指示するためのスタートキー５４Ｅを備える。
【００３２】
また、前記プレート５６の図２の右下であり、スタートキー５４Ｅの近傍には、モニタ用ＬＥＤとして、データ送信中を表示するＬＥＤ７２Ａ、エラー発生を報知するためのＬＥＤ７２Ｂ、電源投入を報知するＬＥＤ７２Ｃが設けられている。
【００３３】
（画像処理装置の制御系）
図３は、画像処理装置１０の制御系のハード構成の概略図である。
【００３４】
ネットワーク回線網２０は、前記画像処理装置１０のメインコントローラ１８に接続されている。なお、ネットワーク通信回線網２０には、画像データを送信元等になり得るＰＣ（端末装置）２９、並びにBluetooth（登録商標）等の無線通信で接続可能とするための基地局２７が接続されている。
【００３５】
メインコントローラ１８には、それぞれ、データバスやコントロールバス等のバス３３Ａ〜３３Ｄを介して、ファクシミリ通信制御回路１６、画像読取部１４、画像形成部１２、ＵＩ５２が接続されている。すなわち、このメインコントローラ１８が主体となって、画像処理装置１０の各処理部が制御されるようになっている。
【００３６】
前記画像処理装置１０は、電源装置４２を備えており、メインコントローラ１８とは信号ハーネス４３で接続されている。
【００３７】
電源装置４２は、前記商用電源３１から入力電源線２４を介して電力の供給を受けている。
【００３８】
電源装置４２では、メインコントローラ１８、ファクシミリ通信制御回路１６、画像読取部１４、画像形成部１２、ＵＩ５２のそれぞれに対して独立して電力を供給する電力供給線３５Ａ〜３５Ｄが設けられている。このため、メインコントローラ１８では、各処理部（デバイス）に対して個別に電力供給（電力供給モード）、或いは電力供給制限（省エネモード）し、所謂部分節電制御を可能としている。
【００３９】
一般的な省エネモードでは、メインコントローラ１８以外のデバイスへの電力供給を遮断すると共に、メインコントローラ１８においても、外部（ネットワーク通信回線網２０や、電話回線網２２）からの情報の受付待機機能に必要な電力以外の電力を遮断している。この場合、電力として、１．５ｗ〜５ｗ程度が消費される。
【００４０】
なお、この場合、メインコントローラ１８のＣＰＵの全てが動作可能な「スリープＣＰＵオン」モード（第１の節電状態）と、ＣＰＵの一部が動作可能な「スリープＣＰＵオフ」モード（第２の節電状態）とに分類される。「スリープＣＰＵオン」モードにおける消費電力は５ｗ程度であり、「スリープＣＰＵオフ」モードにおける消費電力は、１．５ｗ程度であり、消費電力に差が生じている。
【００４１】
さらに、本実施の形態では、省エネモードとして、メインコントローラ１８に対しても、基本的に電力供給を遮断するモード（「スリープ０」モード（第３の節電状態）を設定している。
【００４２】
「基本的に電力供給を遮断」という意味は、メインコントローラ１８が、商用電源３１（電源装置４２）からの電力を一切受けないが、外部からの情報受付待機機能、並びに第３の節電状態から、から「スリープＣＰＵオン」モード、「スリープＣＰＵオフ」モード、又は通常モード状態に復帰させるために、主電源部である電源装置４２とは別の副電源部から電力供給を受けることを意味する。この第３の節電状態における消費電力は、前記「スリープＣＰＵオン」モード及び「スリープＣＰＵオフ」モードの消費電力（１．５ｗ〜５ｗ）に比べ、０．５ｗ前後となり、省エネ性が拡張される。
【００４３】
本実施の形態では、前記「スリープ０」モード期間中に、メインコントローラ１８へ電力を供給するための副電源部として、太陽光発電を利用した電源システムが適用されている。
【００４４】
すなわち、画像処理装置１０には、ソーラーパネル９２が設置されている。ソーラーパネル９２は、例えば、上部筐体１０Ａや下部筐体１０Ｂ（図１参照）の表面の全部又は一部に貼り付けてもよいし、画像処理装置１０から離して配置するようにしてもよい。
【００４５】
ソーラーパネル９２は、専用配線９４を介して蓄電デバイス９６に接続されている。蓄電デバイス９６に充電されている電力は、電力供給線９８を介してメインコントローラ１８に送出可能となっている。
【００４６】
メインコントローラ１８には、電源切替部１８Ａとサブコントローラ１８Ｓが設けられている。電源切替部１８Ａでは、電力供給元を、通常モード時、並びに節電モードにおける「スリープＣＰＵオン」モード、「スリープＣＰＵオフ」モードは前記電源装置４２（主電源部）に切り替え、「スリープ０」モード時は蓄電デバイス９６（副電源部）に切り替える。
【００４７】
サブコントローラ１８Ｓは、メインコントローラ１８の一部の機能を持ち、「スリープ０」モード期間中に起動し、前記節電キー５４Ｄの操作状態の監視、並びに、前述した外部からの情報受付待機、並びに「スリープ０」モード状態から通常モード状態に復帰させるプログラムを実行する。
【００４８】
また、サブコントローラ１８Ｓには、外部からの電力供給状態のモード情報の要求に対して応答する通信機能を備えたＡＳＩＣ１００が組み込まれている。
【００４９】
ＡＳＩＣ１００は、サブコントローラ１８Ｓと同様に、通常モード中、並びに節電モードにおける「スリープＣＰＵオン」モード中、「スリープＣＰＵオフ」モード中は、商用電源３１からの電力が供給され、「スリープ０」モード中は蓄電デバイス９６から電力が供給されるようになっている。
【００５０】
図４に示される如く、ＡＳＩＣ１００は、特定用途向けのＩＣチップであり、ＣＰＵ１０２、ＲＡＭ１０４、ＲＯＭ１０６、Ｉ／Ｏ１０８、バス１１０のそれぞれの機能を備えた配線が施されている。Ｉ／Ｏ１０８には、通信Ｉ／Ｆ１１２が接続されている。
【００５１】
ＲＡＭ１０４に属する記憶領域には、後述するパターンマッチング処理を実行するプログラムが記憶されている。
【００５２】
また、Ｉ／Ｏ１０８には、バッファー（メモリ）１１４が接続されている。バッファー１１４は不揮発性であり、ＡＳＩＣ１００へ供給される電力に関わらず、記憶されたデータが保存される。
【００５３】
なお、サブコントローラ１８Ｓ、ＡＳＩＣ１００は、メインコントローラ１８とは別体として設けてもよい。また、サブコントローラ１８ＳとＡＳＩＣ１００とを別体として設けてもよい。
【００５４】
ＣＰＵ１０２に属する処理領域では、前記パターンマッチク処理プログラムに基づいて、画像処理装置の電力供給状態を示すモードとして、主として節電モードである「スリープＣＰＵオン」モード、「スリープＣＰＵオフ」モード、「スリープ０」モードの何れかであることを、状態相互間の移行によって異なる電力値特定パターンでの識別を実行する。
【００５５】
また、識別結果である電力値特定パターンは、メインコントローラ１８に対するモード移行指示毎に、バッファー１１４へ更新記憶される。言い換えれば、バッファー１１４には、常に最新のモードに対応する識別情報（電力値特定パターン）が記憶されることになる。
【００５６】
前記電力値特定パターンをバッファー１１４へ記憶する時期は、前記モード移行指示があってから実際にモード移行が実行される前としている。
【００５７】
すなわち、移行先が「スリープ０」モードの場合、商用電源３１からの電力供給が断たれるため、この商用電源３１が断たれる前に、次のモード先を予測して電力値特定パターンを生成し、バッファー１１４へ記憶する。
【００５８】
ところで、ＣＰＵ１０２では、通信Ｉ／Ｆ１１２を介して、遠隔から画像処理装置１０のモードに関する情報を要求があると、ＲＡＭ１０４に記憶された応答処理プログラムが実行される。
【００５９】
このような情報の要求は、情報処理端末装置（例えば、ＰＣ２９（図３参照）、携帯端末１１６（図５参照））から受け付け可能である。
【００６０】
図５（Ａ）は、携帯端末１１６（スマートホン、携帯電話、タブレット、ＰＤＡ等）から、無線通信（無線LAN、Bluetooth（登録商標）等）によって画像処理装置１０へ電力供給状態に関する情報の要求を行っている状態を示す斜視図、図５（Ｂ）は携帯端末１１６の制御形態の構成を示すブロック図である。
【００６１】
図５（Ａ）に示される如く、携帯端末１１６は、筐体１１８に覆われており、当該筐体１１８の表面に設けられた矩形枠１１８Ａには、インターフェイス部１２０が嵌め込まれている。
【００６２】
インターフェイス部１２０は、図５（Ｂ）に示される如く、液晶表示部１２０Ａとポインティングデバイス１２０Ｂを備え、液晶表示部１２０Ａとポインティング入力部１２０Ｂとは互いに重なるように配置されており、インターフェイス部１２０は、所謂タッチッパネルユニットとして機能する。
【００６３】
インターフェイス部１２０では、選択的に手書きパネル、キーボードを液晶表示部１２０Ａに表示する。表示された手書きパネル又はキーボードに対応するようにポインティング入力部１２０Ｂの細分化された各入力素子が割り当てられ、ユーザーのタッチ操作に反応して入力が実行される。
【００６４】
図５（Ｂ）に示される如く、携帯端末１１６は、ＣＰＵ１２２、ＲＡＭ１２４、ＲＯＭ１２６、Ｉ／Ｏ１２８及びこれらを相互に接続するデータバスやコントロールバス等のバス１３０を備えたマイクロコンピュータを含んでいる。
【００６５】
Ｉ／Ｏ１２８には、インターフェイス部１２０と、通信Ｉ／Ｆ１３２が接続されている。
【００６６】
通信Ｉ／Ｆ１３２では、その機能の一つとして、予め登録されたアプリケーションソフトのプログラムに従い、画像処理装置１０との間で通信が実行される。
【００６７】
携帯端末１１６では、画像処理装置１０の状態に関する要求をし、その要求に対する応答を受けると、当該応答に応じて情報を液晶表示部１２０Ａに表示する。
【００６８】
例えば、画像処理装置１０が「スリープ０」モードであった場合、問い合わせした画像処理装置１０の名称や型番(図５（Ａ）では、「複合機▽△□○」）と、電力値（図５（Ａ）では「０ｗ」）とが表示されるようになっている。
【００６９】
ここで、携帯端末１１６から画像処理装置１０の状態について、情報の要求があった場合、画像処理装置１０が通常モード中であれば、当該応答処理は、メインコントローラ１８（図３参照）によって処理可能である。
【００７０】
一方、画像処理装置１０が節電モード中の場合、商用電源３１からの電力供給が断たれている場合がある（特に、「スリープ０」モード）。しかし、この要求の毎に、メインコントローラ１８を通常モードに移行するのは省エネに反する。特に、「スリープ０」モードであることが返信されないことになる。
【００７１】
そこで、節電モード中の応答処理は、「スリープ０」モードにおいて、蓄電デバイス９６から電力供給可能なＡＳＩＣ１００により実行する。なお、通常モード中もＡＳＩＣ１００で対応してもよい。
【００７２】
具体的には、パターンマッチング処理によって、バッファー１１４に記憶されている電力値特定パターンを特定し、特定された電力値特定パターンに対応する識別情報を返信する。
【００７３】
すなわち、応答信号Ａを受け付けると、パターンマッチング処理が実行され、「スリープＣＰＵオン」モード、「スリープＣＰＵオフ」モード、「スリープ０」モードの典型的な電力値特定パターンと、バッファー１１４に記憶されている電力値特定パターンとを照合し、一致したパターンを特定する。特定された電力値特定パターンには、予め識別情報が付与されている。「スリープＣＰＵオン」モードが識別情報Ｂ、「スリープＣＰＵオン」モードが識別情報Ｃ、「スリープ０」モードが識別情報Ｄである。
【００７４】
このため、特定された電力値特定パターンに基づいて、識別情報Ｂ，Ｃ，Ｄを選択し、要求元へ識別情報Ｂ、Ｃ、Ｄの何れかを返信する。
【００７５】
本実施の形態において、要求側である携帯端末１１６と、応答側である画像処理装置１０のＡＳＩＣ１００との間で通信が実行される。
【００７６】
図６に示される如く、通信プロトコル階層は、アプリケーション層１５０、トランスポート層１５２、ネットワーク層１５４、データリンク層１５６、物理層１５８に分類される。
【００７７】
本実施の形態では、アプリケーション層１５０としてＦＴＰ（File Transfer Protocol）、トランスポート層１５２としてＵＤＰ（User Datagram Protocol）、ネットワーク層１５４としてＩＰ（Internet Protocol）、データリンク層１５６としてBluetooth（登録商標）又はEthernet（登録商標）、物理層１５８としてwirelessが適用されている。
【００７８】
ＵＤＰを適用することで、ＴＣＰ（Transmission Control Protocol）に比べてデータの確実性は低いが、リアルタイム性が高く、本実施の形態のようなデータ量が少なく、確実性が重要でない場合に有利となる。
【００７９】
図７は、送信側及び受信側ＵＤＰの物理的な構成を模式的に示している。
【００８０】
送信側ＵＤＰ１５２Ｓ及び受信側ＵＤＰ１５２Ｒは、それぞれヘッダ階層１６０Ｓ、１６０Ｒとデータ階層１６２Ｓ、１６２Ｒを備えている。
【００８１】
ヘッダ階層１６０Ｓ、１６０Ｒは、送信側ポート番号フレーム、受信側ポート番号フレーム、データ長フレーム、チェックサムフレームを備えている。
【００８２】
また、データ階層１６２Ｓ、１６２Ｒは、データフレームを備えている。
【００８３】
送信側ポート番号フレームは、送信側のポート番号が１６ビットで入力される。
【００８４】
受信側ポート番号フレームは、受信側のポート番号が１６ビットで入力される。
【００８５】
データ長フレームは、ヘッダ階層１６０Ｓ、１６０Ｒとデータ階層１６２Ｓ、１６２Ｒの合計データ長が１６ビットで入力される。
【００８６】
チェックサムフレームは、データの状態確認情報が１６ビットで入力される。
【００８７】
送信側ＵＤＰ１５２Ｓにおけるデータフレームは、本実施の形態では要求信号Ａが入力する。一方、受信側ＵＤＰ１５２Ｒにおけるデータフレームには、本実施の形態では、応答信号として識別情報Ｂ、Ｃ、Ｄの何れかが入力される。
【００８８】
なお、要求信号Ａは、節電状態に関する情報の要求を示すものであり、本実施の形態では、単一の要求信号Ａとしているが、画像処理装置１０に関する情報を遠隔で要求したい場合は、その都度、アプケーションとして追加すればよい。
【００８９】
また、識別情報Ｂは「スリープＣＰＵオン」モード（第１の節電状態）であり、メインコントローラ１８（図３参照）の全ての機能が商用電源３１の電力で動作していることを示す。携帯端末１１６（図５参照）では、この識別情報Ｂを受けて、液晶表示部１２０Ａに、例えば「５ｗ」と表示する。
【００９０】
識別情報Ｃは「スリープＣＰＵオフ」モード（第２の節電状態）であり、メインコントローラ１８の一部の機能が商用電源３１の電力で動作しているこことを示す。携帯端末１１６では、この識別情報Ｃを受けて、液晶表示部１２０Ａに、例えば「１．５ｗ」と表示する。
【００９１】
識別情報は「スリープ０」モード（第３の節電状態）であり、メインコントローラ１８の全ての機能が遮断され、必要に応じて蓄電デバイス９６から電力を受けることを示す。携帯端末１１６では、この識別情報Ｄを受けて、液晶表示部１２０Ａに、例えば「０ｗ」と表示する。
【００９２】
また、ＵＤＰにおいては、送信側である携帯端末１１６では、受信側である画像処理装置１０のＡＳＩＣ１００が受け取ることができるかどうか調べずにいきなり送りつけると共に、何があっても再送しない。
【００９３】
一方、受信側であるＡＳＩＣ１００では、要求信号を受け取っても確認応答を出さず、要求信号のデータ破壊があった場合は破棄する。
【００９４】
以下、本実施の形態の作用を説明する。
【００９５】
図８は、ＵＤＰ通信プロトコルにおける動作を示しており、（Ａ）は失敗例、（Ｂ）は成功例である。
【００９６】
図８（Ａ）に示される如く、携帯端末１１６では、画像処理装置１０で要求信号Ａを受け取ることができるかどうかを調べずに、一方的に要求信号Ａを画像処理装置１０(ＡＳＩＣ１００）へ送信する。
【００９７】
画像処理装置１０（ＡＳＩＣ１００）では、この要求信号Ａを受信するが、電波状況により一部が破損する場合がある。このとき、画像処理装置１０（ＡＳＩＣ１００）では、再送を要求することなく、読み取ることができない要求信号Ａを破棄する。
【００９８】
携帯端末１１６では、予め定めた時間内に応答がない場合、再送することなく終了する。
【００９９】
電波状況が改善しない場合、何度も繰り返し要求信号Ａを送り続けると、例えば、画像処理装置１０が「スリープ０」モードであった場合、その都度、蓄電デバイス９６の電力が消費されることになるが、失敗した場合は携帯端末１１６側では当該要求信号Ａの再送を行わず、画像処理装置１０（ＡＳＩＣ１００）側では要求信号Ａを破棄することで、蓄電デバイス９６の無駄な消費の抑制が可能となる。
【０１００】
一方、図８（Ｂ）に示される如く、携帯端末１１６では、画像処理装置１０で要求信号Ａを受け取ることができるかどうかを調べずに、一方的に要求信号Ａを画像処理装置１０(ＡＳＩＣ１００）へ送信する。
【０１０１】
画像処理装置１０（ＡＳＩＣ１００）では、この要求信号Ａを確実に受信し、要求を認識すると、パターンマッチング処理によって、バッファー１１４に記憶されている電力値特定パターンを認識し、識別情報Ｂ、Ｃ、Ｄを特定する。
【０１０２】
その後、特定された識別情報Ｂ、Ｃ、Ｄの何れかを応答信号として携帯端末１１６へ返送する。
【０１０３】
返送を受けた携帯端末１１６では、識別情報に応じた文字情報を抽出する。
【０１０４】
すなわち、識別情報Ｂの場合の文字情報は「５ｗ」であり、識別情報Ｃの場合は、「１．５ｗ」であり、識別情報Ｃの場合は「０ｗ」である。
【０１０５】
携帯端末１１６では、ユーザーインターフェイス部１２０の液晶表示部１２０Ａに、画像処理装置１０の名称や型番(図５（Ａ）では、「複合機▽△□○」）と共に、特定した電力値（図５（Ａ）では「０w」）とを表示する。
【０１０６】
図９は、図８で説明したＵＤＰ通信プロトコルに基づく、画像処理装置１０のＡＳＩＣ１００での動作状態を示すタイミングチャートである。
【０１０７】
画像処理装置１０は、処理状況に応じて、モード状態が、スタンバイモード、「スリープＣＰＵオン」モード、「スリープＣＰＵオフ」モード、「スリープ０」モードに遷移する。なお、図９では、実際にデバイスが稼働するランニングモードは省略している。
【０１０８】
スタンバイモード、「スリープＣＰＵオン」モード、「スリープＣＰＵオフ」モードでは、商用電源３１からの電力が供給されるが、「スリープ０」モードでは商用電源３１の電力が供給されず、必要に応じて蓄電デバイス９６からの電力が供給される。
【０１０９】
ここで、図９の矢印Ｘ１に示す時期に、携帯端末１１６から要求信号Ａを受け付けると、応答処理（パターンマッチング処理）が実行される。
【０１１０】
パターンマッチング処理では、モードに応じた電力値特性パターンと、バッファー１１４に記憶された電力値特性パターンとが照合される。この結果、時期Ｘ１では、「スリープＣＰＵオン」モードであることを示す電力値特性パターンを特定し、識別情報Ｂを要求元へ送信する。
【０１１１】
また、図９の矢印Ｘ２に示す時期に、携帯端末１１６から要求信号Ａを受け付けると、応答処理（パターンマッチング処理）が実行される。
【０１１２】
パターンマッチング処理では、モードに応じた電力値特性パターンと、バッファー１１４に記憶された電力値特性パターンとが照合される。この結果、時期Ｘ２では、「スリープＣＰＵオフ」モードであることを示す電力値特性パターンを特定し、識別情報Ｃを要求元へ送信する。
【０１１３】
さらに、図９の矢印Ｘ３に示す時期に、携帯端末１１６から要求信号Ａを受け付けると、応答処理（パターンマッチング処理）が実行される。
【０１１４】
パターンマッチング処理では、モードに応じた電力値特性パターンと、バッファー１１４に記憶された電力値特性パターンとが照合される。この結果、時期Ｘ３では、「スリープ０」モードであることを示す電力値特性パターンを特定し、識別情報Ｄを要求元へ送信する。
【０１１５】
（変形例１）
本実施の形態では、画像処理装置１０の節電モード中（「スリープＣＰＵオン」モード、「スリープＣＰＵオフ」モード、「スリープ０」モード）を対象に、携帯端末１１６やＰＣ２９を用いて遠隔から電力状態の確認を行うようにしたが、通常モードを含め、携帯端末１１６やＰＣ２９から電力状態を要求し、それぞれのモードでの消費電力を表示するようにしてもよい。
【０１１６】
図１０は、画像処理装置１０における消費電力値を示したものである。この図１０において、矢印Ｓで示す画像処理装置１０の節電モード以外に、ネットワーク通信回線網２０又は電話回線網２２からジョブを受け付けると、当該ジョブの種類により、消費電力が１０ｗになる場合と、８０〜１２００ｗになる場合がある。
【０１１７】
また、節電キー５４Ｄが操作されると、まず、消費電力が３０ｗとなり処理種（サービス）の選択が可能となり、その後、選択されたサービスが複写処理では消費電力が１１０〜１３００ｗとなり、選択されたサービスが画像読取処理では消費電力が５０〜１００ｗとなり、選択されたサービスが画像形成処理では消費電力が１００〜１２２０ｗとなる。
【０１１８】
これらの状態において、常に、携帯端末１１６からの要求に応じて、消費電力を通知することで、遠隔から画像処理装置１０の現在（リアルタイム）の消費電力を把握可能となる。
【０１１９】
なお、上記で示した消費電力値は一例であり、誤差が生じる場合もあるし、設計や仕様変更により、大幅に変動することもある。
【０１２０】
（変形例２）
本実施の形態では、画像処理装置１０の節電モード中（「スリープＣＰＵオン」モード、「スリープＣＰＵオフ」モード、「スリープ０」モード）を対象に、携帯端末１１６やＰＣ２９を用いて遠隔から電力状態の確認を行うようにしたが、この内、「スリープ０」モードでの「０ｗ」表示に対応するべく、ＡＳＩＣ１００が蓄電デバイス９６からの電力で動作して、パターンマッチング処理を実行するようにしたが、必ずしも「スリープ０」モードでの「０ｗ」表示を行わなくてもよい。
【０１２１】
すなわち、商用電源３１からの電力が供給されているときに限り、携帯端末１１６からの応答信号Ａに対応し、識別情報を応答するようにしてもよい。この場合、前記変形例１のように、通常モード中の要求にも対応可能とすることが好ましい。
【０１２２】
変形例２によれば、携帯端末１１６からの消費電力の要求に対して、例えば、「スリープＣＰＵオン」モード、「スリープＣＰＵオフ」モードのように、通常モードよりも極めて消費電力が少ないときでも、ＡＳＩＣ１００によるパターンマッチング処理による応答は、メインコントローラ１８のＣＰＵを動作させて応答するよりも、消費される電力を抑えることが可能である。
【０１２３】
（変形例３）
また、もともと、「スリープ０」モードを搭載しない画像処理装置１０Ａ（図１１参照）においても、携帯端末１１６からの対応に対する電力消費を許容すれば、携帯端末１１６からの電力値に関する情報の要求を、メインコントローラ１８又はサブコントローラ１８Ｓで対応し、その都度、消費電力を演算して、要求元に返送するようにしてもよい。この場合、前記変形例１のように、通常モード中の要求にも対応可能とすることが好ましい。
【０１２４】
図１１は、変形例３に係る画像処理装置１０Ａの制御ブロック図である。図３に示した画像処理装置１０と同一構成部分には同一の符号を付してその構成の説明は省略する。
【０１２５】
図１１の画像処理装置１０Ａにおいて、図３の画像処理装置１０と異なる点は、蓄電デバイス９６、ソーラーパネル９２、電源切替部１８Ａ（並びに接続配線）が存在せず、メインコントローラ１８が節電モードの内、「スリープＣＰＵオフ」モードになると、サブコントローラ１８Ｓ（メインコントローラ１８の一部）だけが動作し、外部からのジョブ通知、節電キー５４の操作を監視する。なお、「スリープＣＰＵオン」モードの場合は、メインコントローラ１８自身で全ての動作が可能であり、ジョブの種類やサービスの種類に応じた、デバイスの選択、通電制御等が実行される。
【０１２６】
すなわち、図１１に示される如く、メインコントローラ１８及びサブコントローラ１８Ｓはそれぞれ商用電源３１から電力の供給を受けており、節電モードであっても、商用電源３１から電力として、必要最小限の電力が消費されるため、節電モードとしては、「スリープＣＰＵオン」モード、「スリープＣＰＵオフ」モードの間で遷移する。
【０１２７】
この節電モード、並びに、必要に応じて通常モードにおいても、携帯端末１１６から電力値に関する情報の要求があったとき、適宜現在の電力値を演算し、要求元の携帯端末１１６に通知することで、ユーザーが、遠隔から所望の画像処理装置１０Ａの電力消費量を確認することが可能となる。
【符号の説明】
【０１２８】
１０    画像処理装置
１０Ａ    上部筐体
１０Ｂ    下部筐体
１２    画像形成部
１４    画像読取部
１６    ファクシミリ通信制御回路
１８    メインコントローラ
１８Ａ    電源切替部
１８Ｓ    サブコントローラ
２０    ネットワーク通信回線網
２２    電話回線網
２４    入力電源線
２６    コンセント
２７    基地局
２９    ＰＣ
３１    商用電源
３２    配線プレート
３３Ａ〜３３Ｄ    バス
３５Ａ〜３５Ｅ    電力供給線
４０    タッチパネル部
４２    電源装置
４３    ハーネス
５２    ユーザーインターフェイス（ＵＩ)
５６    プレート
５４    ハードキー
５４Ａ    メニューキー
５４Ｂ    コピーキー
５４Ｃ    テンキー
５４Ｄ    節電キー
５４Ｅ    スタートキー
９２    ソーラーパネル（サブコントローラ用）
９４    専用配線
９６    蓄電デバイス
９８    電力供給線
１００    ＡＳＩＣ
１０２    ＣＰＵ
１０４    ＲＡＭ
１０６    ＲＯＭ
１０８    Ｉ／Ｏ
１１０    バス
１１２    通信Ｉ／Ｆ
１１４    バッファー
１１６    携帯端末
１１８    筐体
１１８Ａ    矩形枠
１２０    インターフェイス部
１２０Ａ    液晶表示部
１２０Ｂ    ポインティングデバイス
１２２    ＣＰＵ
１２４    ＲＡＭ
１２６    ＲＯＭ
１２８    Ｉ／Ｏ
１３０    バス
１３２    通信Ｉ／Ｆ
１５０    アプリケーション層
１５２    トランスポート層
１５４    ネットワーク層
１５６    データリンク層
１５８    物理層
１５２Ｓ    送信側ＵＤＰ
１５２Ｒ    受信側ＵＤＰ
１６０Ｓ、１６０Ｒ    ヘッダ階層
１６２Ｓ、１６２Ｒ    データ階層
【図１】
2015001959.tif 000003
【図２】
2015001959.tif 000004
【図３】
2015001959.tif 000005
【図４】
2015001959.tif 000006
【図６】
2015001959.tif 000007
【図７】
2015001959.tif 000008
【図８】
2015001959.tif 000009
【図９】
2015001959.tif 000010
【図１１】
2015001959.tif 000011
【図５】
2015001959.tif 000012
【図１０】
2015001959.tif 000013